(57)【要約】【課題】パラメータ設定操作の操作性を向上する。【解決手段】表示部２は、複数の方向へ移動可能な操作オブジェクトであって、それぞれ異なる方向に対応付けられた複数のパラメータを調整可能な該操作オブジェクトを表示する。操作部３はユーザの操作を受け付ける。処理部４は、特定パラメータ操作オブジェクトの表示を指示する操作に応じて、複数のパラメータのそれぞれに対応する複数の特定パラメータ操作オブジェクトを、操作オブジェクトに対応する位置に表示し（表示処理５）、特定パラメータ操作オブジェクトの操作に応じて、その特定パラメータ操作オブジェクトに対応付けられたパラメータを変更する（変更処理６）。【選択図】        図１
2018160187.tif 000002
【特許請求の範囲】
【請求項１】
複数の方向へ移動可能な仮想的な操作オブジェクトであって、それぞれ異なる方向に対応付けられた複数のパラメータを調整可能な該操作オブジェクトを、ディスプレイ装置に表示する第１表示ステップと、
ユーザの指示に応じて、前記複数のパラメータのそれぞれに対応する複数の仮想的な特定パラメータ操作オブジェクトを、前記ディスプレイ装置上の前記操作オブジェクトに対応する位置に表示する第２表示ステップと、
前記特定パラメータ操作オブジェクトを移動する操作に応じて、その特定パラメータ操作オブジェクトに対応するパラメータを変更する変更ステップ
をコンピュータに実行させるパラメータ設定プログラムを記憶した記憶媒体。
【請求項２】
前記第２表示ステップにおいて、前記複数の特定パラメータ操作オブジェクトは、それぞれ対応するパラメータを示す位置に表示されることを特徴とする請求項１に記載の記憶媒体。
【請求項３】
前記第２表示ステップにおいて、前記特定パラメータ操作オブジェクトは、それぞれ前記操作オブジェクトを通る直線上に表示されることを特徴とする請求項１又は２に記載の記憶媒体。
【請求項４】
前記変更ステップにおいて、前記特定パラメータ操作オブジェクトは、対応するパラメータに対応付けられた方向にのみ移動されることを特徴とする請求項１乃至３の何れかに記載の記憶媒体。
【請求項５】
前記第１表示ステップにおいて、複数の前記操作オブジェクトが表示され、
前記第２表示ステップにおいて、前記複数の操作オブジェクトのうち、選択された１つの操作オブジェクトに対応する前記複数の特定パラメータ操作オブジェクトが表示される請求項１乃至４の何れかに記載の記憶媒体。
【請求項６】
複数の方向へ移動可能な仮想的な操作オブジェクトであって、それぞれ異なる方向に対応付けられた複数のパラメータを調整可能な該操作オブジェクトを、ディスプレイ装置に表示する第１表示ステップと、
ユーザの指示に応じて、前記複数のパラメータのそれぞれに対応する複数の仮想的な特定パラメータ操作オブジェクトを、前記ディスプレイ装置上の前記操作オブジェクトに対応する位置に表示する第２表示ステップと、
前記特定パラメータ操作オブジェクトを移動する操作に応じて、その特定パラメータ操作オブジェクトに対応するパラメータを変更する変更ステップ
をコンピュータに実行させるパラメータ設定プログラム。
【請求項７】
複数の方向へ移動可能な仮想的な操作オブジェクトであって、それぞれ異なる方向に対応付けられた複数のパラメータを調整可能な該操作オブジェクトを、ディスプレイ装置に表示する第１表示ステップと、
ユーザの指示に応じて、前記複数のパラメータのそれぞれに対応する複数の仮想的な特定パラメータ操作オブジェクトを、前記ディスプレイ装置上の前記操作オブジェクトに対応する位置に表示する第２表示ステップと、
前記特定パラメータ操作オブジェクトを移動する操作に応じて、その特定パラメータ操作オブジェクトに対応するパラメータを変更する変更ステップ
を備えるパラメータ設定方法。
【請求項８】
複数の方向へ移動可能な仮想的な操作オブジェクトであって、それぞれ異なる方向に対応付けられた複数のパラメータを調整可能な該操作オブジェクトを表示する表示部と、
ユーザの操作を受け付ける操作部と、
前記ユーザの操作に応じて処理を行う処理部であって、仮想的な特定パラメータ操作オブジェクトの表示を指示する操作に応じて、前記複数のパラメータのそれぞれに対応する複数の特定パラメータ操作オブジェクトを、前記表示部の前記操作オブジェクトに対応する位置に表示し、前記特定パラメータ操作オブジェクトを移動する操作に応じて、その特定パラメータ操作オブジェクトに対応するパラメータを変更する処理部
を備えるパラメータ設定装置。
【発明の詳細な説明】
【技術分野】
【０００１】
この発明は、例えばオーディオミキサなど様々な電子機器においてパラメータを設定するためのパラメータ設定装置、パラメータ設定方法、パラメータ設定プログラム、及び、該プログラムを記憶した記憶媒体に関し、詳しくは、複数の方向へ移動可能な仮想的な操作オブジェクトを用いて、それぞれ異なる方向に対応付けられた複数のパラメータを設定することに関する。
【背景技術】
【０００２】
従来、オーディオミキサにおいて、タッチパネル式ディスプレイ装置に表示されたパラメータ設定画面において各種パラメータの設定を行うことが知られる。例えば、音信号の周波数特性を調整するイコライザ（以下、「ＥＱ」と記す）の設定を行うＥＱ画面は、縦軸にゲインを示し、横軸に周波数を示し、特性カーブによりＥＱの周波数特性をグラフ表示する。ユーザ（ミキサのオペレータ）は、タッチパネルに接触した指を移動する操作（「移動操作」という）により、特性カーブ上の操作点を上下方向に移動することでゲインを調整し、該操作点を左右方向に移動することで周波数を調整する（例えば下記特許文献１を参照）。
【０００３】
このように、特性カーブ上の操作点の移動操作によりパラメータを設定する手法は、特性カーブを直接的に操作できるので、ユーザに直感的なパラメータ設定操作を提供できる。しかし、一方で、操作点が上下左右に自由に移動可能であるため、ユーザの意図していないパラメータ変更等の誤操作が起こり易い。例えば、ゲインのみを調整したい場合に指が左右方向にも動いてしまうと、ゲインのみならず周波数も変更されてしまう。
【０００４】
この点について、従来のミキサには、例えば物理的操作子を用いて各パラメータを個別に調整するものや、ＥＱ画面内に特性カーブとは別に複数の操作子画像を表示し、それら操作子画像により各パラメータを個別に調整するものがあった。しかし、これら従来の技術では、個々の操作子又は操作子画像と特性カーブ上の操作点との対応関係が、ユーザにとって分りにくい。このことは、例えばＥＱ画面におけるパラメータ設定操作の操作性を損なっていた。
【先行技術文献】
【特許文献】
【０００５】
【特許文献１】特開２０１６‐２０１７２７号公報
【発明の概要】
【発明が解決しようとする課題】
【０００６】
この発明は、上述の点に鑑みてなされたもので、オーディオミキサなど様々な電子機器におけるパラメータ設定操作の操作性を向上することを目的とする。
【課題を解決するための手段】
【０００７】
この発明は、複数の方向へ移動可能な仮想的な操作オブジェクトであって、それぞれ異なる方向に対応付けられた複数のパラメータを調整可能な該操作オブジェクトを、ディスプレイ装置に表示する第１表示ステップと、ユーザの指示に応じて、前記複数のパラメータのそれぞれに対応する複数の仮想的な特定パラメータ操作オブジェクトを、前記ディスプレイ装置上の前記操作オブジェクトに対応する位置に表示する第２表示ステップと、前記特定パラメータ操作オブジェクトを移動する操作に応じて、その特定パラメータ操作オブジェクトに対応するパラメータを変更する変更ステップをコンピュータに実行させるパラメータ設定プログラムを記憶した記憶媒体である。
【０００８】
この発明によれば、複数の方向へ移動可能な仮想的な操作オブジェクトを用いて、それぞれ異なる方向に対応付けられた複数のパラメータを調整するように構成されたユーザインタフェースにおいて、ユーザの指示に応じて、複数のパラメータのそれぞれに対応する複数の仮想的な特定パラメータ操作オブジェクトを、操作オブジェクトに対応する位置に表示する。したって、ユーザは、操作オブジェクトと各特定パラメータ操作オブジェクトの対応関係を、容易且つ直感的に把握しつつ、特定パラメータ操作オブジェクトを用いた個別のパラメータの調整を行うことができ、それにより、意図しないパラメータ変更等の不都合を防ぐことができる。例えば、イコライザ画面の特性カーブとは独立に表示された操作子画像や物理的操作子を用いて個々のパラメータを調整する従来の技術に比べて、パラメータを個別に設定する操作の操作性が向上する。
【発明の効果】
【０００９】
この発明によれば、パラメータを設定する操作の操作性を向上することできる。
【図面の簡単な説明】
【００１０】
【図１】この発明に係る設定装置の概念的構成例を説明するブロック図。
【図２】設定装置の一実施形態に係る音信号処理装置の電気的ハードウェア構成を示すブロック図。
【図３】パラメータ設定画面の一例であって、イコライザ設定用のＥＱ画面を示す。
【図４】ＥＱ画面の表示指示に応じた処理を示すフローチャート。
【図５】特定パラメータ操作オブジェクトの表示指示に応じた処理を示すフローチャート。
【図６】（ａ）〜（ｄ）は、ＥＱ画面における特定パラメータ操作オブジェクトの表示例を示す。
【図７】特定パラメータ操作オブジェクトの移動に応じた処理を示すフローチャート。
【図８】ＥＱ画面における別の操作オブジェクトの選択に応じた処理を示すフローチャート。
【図９】ＥＱ画面における操作オブジェクトの移動に応じた処理を示すフローチャート。
【図１０】（ａ）はコンプレッサ設定用のコンプレッサ画面の一例を示し、（ｂ）はコンプレッサ画面における特定パラメータ操作オブジェクトの表示例を示す。
【図１１】（ａ）はノイズゲート設定用のノイズゲート画面の一例を示し、（ｂ）はノイズゲート画面における特定パラメータ操作オブジェクトの表示例を示す。
【図１２】（ａ）はサラウンドパン設定用のサラウンドパン画面の一例を示し、（ｂ）はサラウンドパン画面における特定パラメータ操作オブジェクトの表示例を示す。
【発明を実施するための形態】
【００１１】
以下、添付図面を参照して、この発明の一実施形態について詳細に説明する。
【００１２】
図１は、この発明の一実施形態に係る設定装置１の全体構成例を説明するブロック図である。設定装置１は、複数の方向へ移動可能な仮想的な操作オブジェクトであって、それぞれ異なる方向に対応付けられた複数のパラメータを調整可能な該操作オブジェクトを表示する表示部２と、ユーザの操作を受け付ける操作部３と、前記ユーザの操作に応じて処理を行う処理部４を備えている。処理部４は、仮想的な特定パラメータ操作オブジェクトの表示を指示する操作に応じて、前記複数のパラメータのそれぞれに対応する複数の特定パラメータ操作オブジェクトを、前記表示部の前記操作オブジェクトに対応する位置に表示し（表示処理５）、特定パラメータ操作オブジェクトの操作に応じて、その特定パラメータ操作オブジェクトに対応するパラメータを変更する（変更処理６）。
【００１３】
処理部４の表示処理５及び変更処理６は、後述する通り操作部３の操作に応じてＣＰＵ１１が行うものであるが、表示処理５及び／又は変更処理６を行うプロセッサをＣＰＵ１１とは別途用意しても良い。
【００１４】
図１の設定装置１は、例えば、オーディオミキサ等の音信号を扱う音響機器に適用され得る。以下の一実施形態は、設定装置１をオーディオミキサに適用した例について説明する。オーディオミキサ１０は、専らデジタル信号処理により音信号を処理するデジタルミキサ（以下単に「ミキサ」とも言う）とする。
【００１５】
図２は、図１に示す設定装置１を適用したミキサ１０の電気的ハードウェア構成例を示すブロック図である。ミキサ１０は、専用のハードウェア装置により構成されてもよいし、或いは、例えば汎用のパーソナルコンピュータやタブレット端末装置など、音信号処理のプログラムを実行可能なコンピュータ装置により構成されてもよい。
【００１６】
ミキサ１０は、ＣＰＵ（Central Processing Unit、中央処理ユニット）１１、メモリ１２、タッチパネル式ディスプレイ装置１３（図において「タッチパネル」）、操作子１４、オーディオインタフェース（Ｉ／Ｆ）１５、及び、信号処理装置（図において「ＤＳＰ」）１６を含み、各部が通信バス１７により接続される。
【００１７】
ＣＰＵ１１は、メモリ１２に記憶された各種プログラムを実行してミキサ１０の動作を制御する。メモリ１２は、ＲＯＭ（Read Only Memory、リードオンリメモリ）、ＲＡＭ（Random Access Memory、ランダムアクセスメモリ）、ハードディスク（ＨＤＤ）、ソリッドステートドライブ（ＳＤＤ）等を含む。メモリ１２には、前記各種プログラムが記憶されるとともに、ＤＳＰ５の信号処理に使用する各種パラメータの値を含む各種データが記憶される。前記図１の各部２〜６（特に、処理部４の表示処理５と変更処理６）の動作をＣＰＵ１１に実行させるためのプログラムは、メモリ１２に記憶される。
【００１８】
タッチパネル１３は、ＣＰＵ１１の制御に基づき各種表示を行う表示機構と、画面を指で接触する操作を検出する検出機構とを含む。表示機構は、具体的には、液晶ディスプレイや有機ＥＬディスプレイなどのディスプレイ装置である。検出機構は、画面への接触を検出及び認識できるよう構成される。また、操作子１４は、ミキサ１０の操作パネルに設けられた複数の物理的操作子群である。この実施例において、タッチパネル１３が図１の表示部２及び操作部３を構成する。ユーザ（ミキサ１０のオペレータ）は、タッチパネル１３及び操作子１４を用いて各種操作を行う。
【００１９】
オーディオＩ／Ｆ１５は、ＡＤ変喚器、ＤＡ変喚器、オーディオ入力インタフェース、及び、オーディオ出力インタフェースを含む。ミキサ１０は、オーディオＩ／Ｆ１５を介して、図示しない入力機器から音信号を入力し、また、信号処理済みの音信号を図示しない出力機器へ出力する。
【００２０】
ＤＳＰ１６は、例えばＤＳＰ（Digital Signal Processor）や、ＣＰＵ１１およびメモリ１２に記憶されたソフトウェアにより仮想的に実現された信号処理装置で構成される。ＤＳＰ１６は、信号処理用のプログラムを実行することにより、入力された音信号に対して信号処理を施す。信号処理は、例えば、複数チャンネルの音信号の混合、各チャンネルの音信号のレベル調整、特性制御、各種効果付与等を含む。ＤＳＰ１６の信号処理は、メモリ１２に記憶された各種パラメータの値に基づいて制御される。
【００２１】
なお、ミキサ１０は、例えばコンピュータネットワークに接続するためのネットワークインタフェースなど、図示外のその他の構成部品を備えてもよい。
【００２２】
図２のミキサ１０において、ＤＳＰ１６の信号処理を制御する各種パラメータは、タッチパネル１３に表示される各種の設定画面から設定される。図３は、設定画面の一例であって、イコライザ（「ＥＱ」）の各種パラメータを設定するＥＱ画面３０である。ＥＱは、音信号の周波数特性を調整する効果処理である。図３に示す通り、ＥＱ画面３０は、特性カーブ３１によりイコライザの周波数特性をグラフ表示するもので、縦軸にゲイン（図において「Ｇａｉｎ」）を示し、横軸に周波数（図において「Ｆｒｑ」）を示す。特性カーブ３１上には３つの周波数帯域に対応する操作点３２、３３及び３４が備わり、各操作点３２、３３及び３４の座標は、その操作点に対応する帯域のゲインの値（縦軸の位置）と周波数の値（横軸の位置）を示す。図４は、ＥＱ画面を表示する処理のフローチャートを示す。ユーザによるＥＱ画面表示指示に応じて、ＣＰＵ１１は、ステップＳ１において、図３に示すＥＱ画面３０をタッチパネル１３に表示する。該ステップＳ１において、ＣＰＵ１１は、ＥＱを制御する各種パラメータ（帯域毎の周波数、帯域毎のゲイン、及び、帯域毎の幅）の値を、メモリ１２から取得し、取得したパラメータの値に応じて、特性カーブ３１を描画する。
【００２３】
各操作点３２、３３及び３４は、ＥＱ画面３０の平面内を自由に移動可能である。例えば、各操作点３２、３３及び３４は、上下方向及び左右方向に移動可能である。ＥＱ画面３０では、操作点３２、３３又は３４のいずれか１つが常に選択される。ユーザは、選択中の操作点３２、３３又は３４を移動する操作（「移動操作」）により、該選択中の操作点に対応する帯域のゲイン及び周波数を調整できる。また、ユーザは、非選択状態の操作点３２、３３又は３４を接触することにより、その操作点を新たに選択できる。この明細書において「移動操作」とは、ユーザがタッチパネル１３に接触した指を移動する操作（いわゆる「スワイプ操作」）である。１回の移動操作は、タッチパネル１３への指の接触により開始し、その指をタッチパネル１３から離すことで終了する。
【００２４】
例えば、操作点３２が上下方向に移動された場合、ＣＰＵ１１は、移動操作の操作量に応じて、操作点３２に対応するゲインを変更する。また、操作点３２が左右方向に移動された場合、ＣＰＵ１１は、移動操作の操作量に応じて、操作点３２に対応する周波数を変更する。また、例えば、操作点３２が斜め方向に移動された場合、ＣＰＵ１１は、移動操作の操作量に応じて、操作点３２に対応する帯域のゲイン及び周波数の両方を変更する。ゲイン及び／又は周波数の変更に応じて、ＣＰＵ１１は、選択中の操作点３２の表示位置を移動するとともに、特性カーブ３１の形状を変化させる。すなわち、ＥＱ画面３０においては、各操作点３２、３３及び３４が、「複数の方向へ移動可能な仮想的な操作オブジェクトであって、それぞれ異なる方向に対応付けられた複数のパラメータを調整可能な前記操作オブジェクト」に相当する。なお、この明細書において、パラメータの値を変更するとは、メモリ１２に記憶された当該パラメータの値を変更することを含む。
【００２５】
各操作点３２、３３及び３４は、上下左右に自由に移動可能であるため、ユーザの意図していないパラメータ変更等の誤操作が起こり易い。例えば、操作点３２のゲインのみを調整したい場合に、操作点３２が左右方向にも移動してしまうと、ゲインだけでなく周波数も変更されてしまう。この点、この実施例のミキサ１０は、ＥＱ画面３０において、ユーザの指示に応じて、ゲイン及び周波数のそれぞれに対応する特定パラメータ操作オブジェクトを、選択中の操作点に対応する位置に表示し、各特定パラメータ操作オブジェクトを用いてパラメータを個別に調整する点に特徴がある。このミキサ１０は、通常は、ＥＱ画面３０の操作点３２、３３、３４への移動操作によりゲイン及び周波数を設定することを想定しており、確実に１つのパラメータを調整したいときなどに、ユーザの指示に応じて特定パラメータ操作オブジェクトを表示する。
【００２６】
図５は、特定パラメータ操作オブジェクトを表示する指示に応じてＣＰＵ１１が実行する処理を示すフローチャートである。例えば、ユーザが選択中の操作点３２、３３又は３４を長押し操作したとき、ＣＰＵ１１は、その操作を特定パラメータ設定画像の表示指示として検出する。長押し操作は、選択中の操作点に所定時間以上接触する操作である。別の例として、ＣＰＵ１１は、選択中の操作点を叩く操作など、選択中の操作点への何らかの接触操作、或いは、ＥＱ画面３０上の操作点以外の個所への何らかの接触操作、或いは、図示外のシフトキーなど物理的操作子の操作を、特定パラメータ操作オブジェクトの表示指示として検出してもよい。
【００２７】
ステップＳ２において、ＣＰＵ１１は、ゲインを調整するための特定パラメータ操作オブジェクト（「ゲイン操作オブジェクト」ともいう）３５と、周波数を調整するための特定パラメータ操作オブジェクト（「周波数操作オブジェクト」ともいう）３６を、選択中の操作点３２、３３又は３４に対応する位置に、タッチパネル１３に表示する。特定パラメータ操作オブジェクトは、対応するに対応付けられた方向にのみ移動可能である。しまわち、ゲイン操作オブジェクト３５は、上下方向にのみ移動可能であり、また、周波数操作オブジェクト３６は、左右方向にのみ移動可能である。
【００２８】
一例として、ＣＰＵ１１は、前記ステップＳ２において、選択中の操作点に対応する帯域のゲイン及び周波数の値をメモリ１２から取得し、該取得したゲインの値に基づき、縦軸上の該ゲインの値を示す位置にゲイン操作オブジェクト３５を表示し、また、該取得した周波数の値に基づき、横軸上の該周波数の値を示す位置に周波数操作オブジェクト３６を表示する。図６（ａ）〜（ｄ）は、ゲイン操作オブジェクト３５及び周波数操作オブジェクト３６の一例を示す。
【００２９】
図６（ａ）において、ゲイン操作オブジェクト３５は、操作点３２から左方向に延び、縦軸に直角に交わる直線画像（図において点線）と、直線画像上に表示された上下方向を示す矢印画像とからなる。また、周波数操作オブジェクト３６は、操作点３２から下方向に延び、横軸に直角に交わる直線画像（図において点線）と、直線画像上に表示された左右方向を示す矢印画像とからなる。各特定パラメータ操作オブジェクト３５、３６が操作点３２から延び、対応する軸上に表示された直線で表現されているので、ユーザは、選択中の操作点３２と各特定パラメータ操作オブジェクト３５、３６の対応関係、及び、対応するパラメータの値を、容易且つ直感的に把握できる。また、矢印画像により、対応するパラメータに対応付けられた方向、すなわち特定パラメータ操作オブジェクトの移動操作の方向を示すので、ユーザにとって分り易い。
【００３０】
図６（ｂ）の例は、（ａ）の特定パラメータ操作オブジェクト３５、３６の矢印画像のみを表示するものである。また、図６（ｃ）の例は、図６（ｂ）の変形例であって、ゲイン操作オブジェクト３５の矢印画像が、縦軸の外側に表示され、また、周波数操作オブジェクト３６の矢印画像が横軸の外側に表示される例を示す。また、図６（ｃ）の更に別の例として、図６（ｃ）のゲイン操作オブジェクト３５、周波数操作オブジェクト３６に、図６（ａ）のような操作点３２から延びる直線画像を組み合わせてもよい。図６（ｂ）、（ｃ）の場合も、特定パラメータ操作オブジェクト３５、３６（矢印画像）は、それぞれ、対応するパラメータの値を示す軸上の位置、言い換えれば、選択中の操作点３２から延びる直線上に表示されるので、ユーザは、選択中の操作点３２と各特定パラメータ操作オブジェクト３５、３６の対応関係、及び、対応するパラメータの値を、容易且つ直感的に把握できる。
【００３１】
また、図６（ｄ）の例は、図６（ａ）の変形例であって、（ａ）の特定パラメータ操作オブジェクト３５、３６の直線画像（図において点線）のみを表示するものである。この場合も、各特定パラメータ操作オブジェクト３５、３６が操作点３２から延び、対応する軸上に表示された直線で表現されているので、ユーザは、選択中の操作点３２と各特定パラメータ操作オブジェクト３５、３６の対応関係、及び、対応するパラメータの値を、容易且つ直感的に把握できる。
【００３２】
図７は、特定パラメータ操作オブジェクト３５又は３６の移動操作に応じた処理を示す。特定パラメータ操作オブジェクト３５又は３６の直線画像及び矢印画像（図６（ａ）〜（ｄ）参照）のどの部分への接触であっても、ＣＰＵ１１は、その接触を特定パラメータ操作オブジェクト３５又は３６への接触として検出する。そして、ＣＰＵ１１は、該接触された特定パラメータ操作オブジェクト３５又は３６の移動操作を、実際の移動軌跡に関わらず、該接触された特定パラメータ操作オブジェクト３５又は３６に対応するパラメータに対応付けられた方向への移動操作として検出する。例えば、ゲイン操作オブジェクト３５の移動操作の実際の軌跡が斜め上方向だったとしても、ＣＰＵ１１は、その移動操作を上方向への移動操作として検出する。
【００３３】
ＣＰＵ１１は、ステップＳ３において、検出された移動操作の操作量に応じて、該移動操作された特定パラメータ操作オブジェクト３５又は３６に対応付けられたパラメータの値を、変更する。ステップＳ４において、ＣＰＵ１１は、変更されたパラメータの値に応じて、操作された特定パラメータ操作オブジェクトの表示位置を移動するとともに、選択中の操作点３２の表示位置を移動する。これに伴い、特性カーブ３１の形状が変化する。例えば、図６（ａ）において、ゲイン操作オブジェクト３５が上方向に移動操作された場合、ＣＰＵ１１は、その移動操作に応じて、選択中の操作点３２に対応するゲインの値を増加させ、且つ、ゲイン操作オブジェクト３５と操作点３２の表示位置を上方に移動し、それに伴い、特性カーブ３１の形状が変化する。前記ステップＳ３により変更されたパラメータは、ＣＰＵ１１のバックグラウンド処理により、ＤＳＰ１６による音信号処理に反映される。
【００３４】
また、図８は、特定パラメータ操作オブジェクト３５、３６が表示された状態で、選択中の操作点３２を移動する操作が行われた際に、ＣＰＵ１１が行う処理のフローチャートを示す。ＣＰＵ１１は、ステップＳ５において、選択中の操作点３２の移動操作に応じて、該操作点３２に対応付けられたゲイン及び／又は周波数を変更し、ステップＳ６において、前記ステップＳ５のゲイン及び／又は周波数の変更に応じて、操作点３２及び特定パラメータ操作オブジェクト３５、３６の表示位置を移動する。これに伴い、特性カーブ３１の形状も変化する。
【００３５】
また、図９は、特定パラメータ操作オブジェクト３５、３６が表示された状態で、選択中の操作点３２とは別の操作点が新たに選択された際に、ＣＰＵ１１が行う処理のフローチャートを示す。ＣＰＵ１１は、ステップＳ７において、新たに選択された操作点に対応付けられたゲイン及び周波数の値をメモリ１２から取得し、該取得した各値に応じて新たな特定パラメータ操作オブジェクトを、当該新たに選択された操作点に対応する位置に、表示する。
【００３６】
別の例として、特定パラメータ操作オブジェクト３５、３６が表示された状態で、選択中の操作点３２とは別の操作点が新たに選択された場合、ＣＰＵ１１は、特定パラメータ操作オブジェクト３５、３６の表示を終了する処理を行ってもよい。
【００３７】
また、別の例として、特定パラメータ操作オブジェクト３５、３６が表示された状態で、選択中の操作点３２の長押し操作があったとき、ＣＰＵ１１は、特定パラメータ操作オブジェクト３５、３６の表示を終了する処理を行ってよい。更に別の例として、ＣＰＵ１１は、図示外のシフトキーなど物理的操作子の操作に応じて、特定パラメータ操作オブジェクト３５、３６の表示を終了する処理を行ってよい。
【００３８】
また、一例として、ＣＰＵ１１は、前記ステップＳ２で、特定パラメータ操作オブジェクト３５、３６を表示する際に、更に、各パラメータに対応付けられた各方向を例えば矢印等により示す方向ガイド３８を表示してもよい。方向ガイド３８の表示／非表示は、例えば、方向ガイドの表示／非表示を切り替えボタン３７により指示する。表示／非表示切り替えボタン３７は、例えば、特定パラメータ操作オブジェクト３５、３６を表示していない状態のＥＱ画面３０内の適宜の位置に表示されてよい。方向ガイド３８により、ユーザは、特定パラメータ操作オブジェクト３５、３６を用いて各パラメータを調整するための移動操作の方向を把握できる。
【００３９】
このように、特性カーブ３１上の操作点３２、３３又は３４の移動操作によりゲイン及び周波数を調整可能なＥＱ画面３０において、ユーザの指示に応じて、特定パラメータ操作オブジェクト３５、３６を、選択中の操作点３２に対応する位置に表示することにより、ユーザは、特性カーブ３１上の操作点３２、３３又は３４と各特定パラメータ操作オブジェクトの対応関係を、容易且つ直感的に把握しつつ、特定パラメータ操作オブジェクト３５、３６を用いてゲインと周波数とを個別に調整できる。従って、操作点の移動により特性カーブ３１を変化させる、という直感的な操作性を損なうことなく、意図しないパラメータ変更等の不都合を防ぐことができる。この構成は、ＥＱ画面３０の特性カーブ３１とは独立に表示された操作子画像や物理的操作子を用いて個々のパラメータを調整する従来の技術に比べて、特性カーブ３１上の操作点と各特定パラメータ操作オブジェクトの対応関係を、容易且つ直感的に把握できるという点で、パラメータ設定操作の操作性に優れる。
【００４０】
別の実施形態において、前記ステップＳ１で表示されるパラメータ設定画面は、コンプレッサの各種パラメータを設定するコンプレッサ画面４０であってよい。コンプレッサは、スレッショルド以上の音信号の音量をレシオに応じた割合で圧縮して、音量圧縮後の音信号を出力し、スレッショルド以下の音信号をそのままの音量で出力する、効果処理である。図１０（ａ）のコンプレッサ画面４０は、横軸に音信号の入力レベルをとり、縦軸に音信号の出力レベルをとり、特性カーブ４１はコンプレッサの入出力特性を示す。特性カーブ４１上の操作点４２はスレッショルドの値を示しており、入力レベルがスレッショルドを超えた場合の圧縮割合を示すレシオは特性カーブ４１の傾き（操作点４２によりも右側の傾き）により表されている。操作点４２は上下方向及び左右方向に移動可能であり、操作点４２の移動に応じて各種パラメータの値が変化する。また、コンプレッサ画面４０には、特性カーブ４１とは別に、物理的操作子を模擬した複数のノブ型操作子画像４３が表示されており、これらノブ型操作子画像４３がスレッショルド、レシオ、アウトゲインを個別に調整するために使用されてもよい。
【００４１】
図１０（ｂ）は、コンプレッサ画面４０における特定パラメータ操作オブジェクトの一例を示す。コンプレッサ画面４０には、特定パラメータ操作オブジェクトとして、アウトゲインを調整するためのアウトゲイン操作オブジェクト４４と、スレッショルドを調整するためのスレッショルド操作オブジェクト４５と、レシオを調整するためのレシオ操作オブジェクト４６が、それぞれ操作点４２に対応する位置に表示される。アウトゲイン操作オブジェクト４４は、操作点４２から左方向に、特性カーブ４１に沿って延びる直線画像（図において点線）と該直線画像上の矢印画像とからなり、上下方向に移動可能である。スレッショルド操作オブジェクト４５は、操作点４２から下方向に延び、横軸に直交する直線画像（図において点線）と該直線画像上の矢印画像とからなり、左右方向に移動可能である。また、レシオ操作オブジェクト４６は、操作点４２から右方向に、特性カーブ４１に沿って延びる直線画像（図において点線）と、その直線画像上の矢印画像とからなり、操作点４２を中心にする回転移動が可能である。レシオ操作オブジェクト４６の矢印画像は回転方向を示す。
【００４２】
アウトゲイン操作オブジェクト４４の移動操作に応じて、ＣＰＵ１１は、アウトゲインを変更し（前記ステップＳ３）、且つ、アウトゲインの変更に応じて、アウトゲイン操作オブジェクト４４の表示位置を上又は下に移動するとともに、特性カーブ４１全体を上又は下に移動する（前記ステップＳ４）。また、スレッショルド操作オブジェクト４５の移動操作に応じて、ＣＰＵ１１は、スレッショルドを変更し（前記ステップＳ３）、且つ、スレッショルドの変更に応じて、スレッショルド操作オブジェクト４５を右又は左に移動するとともに、操作点４２を特性カーブ４１に沿って右又は左に移動する（前記ステップＳ４）。また、レシオ操作オブジェクト４６の移動操作に応じて、ＣＰＵ１１は、レシオを変更し（前記ステップＳ３）、且つ、レシオの変更に応じて、レシオ操作オブジェクト４６の傾きを変更するとともに、特性カーブ４１の傾き（操作点４２によりも右側の傾き）を変更する（前記ステップＳ４）。
【００４３】
また、別の実施形態において、前記ステップＳ１で表示されるパラメータ設定画面は、ノイズゲートの各種パラメータを設定するノイズゲート画面５０であってよい。ノイズゲートは、スレッショルド以上の音信号をそのままの音量で出力し、スレッショルド以下の音信号の音量をレンジに応じて下げて、音量を下げた音信号を出力する、効果処理である。図１１（ａ）のノイズゲート画面５０では横軸が音信号の入力レベルを示し、縦軸が音信号の出力レベルを示し、特性カーブ５１がノイズゲートの入出力特性を示す。特性カーブ５１上の操作点５２は上下方向及び左右方向に移動可能であり、操作点５２の左右方向への移動操作に応じて、スレッショルドの値が変化し、また、操作点５２の上下方向への移動操作に応じて、レンジの値が変化する。ノイズゲート画面５０には、特性カーブ５１とは別に、スレッショルドとレンジのそれぞれを調整するための複数のノブ型操作子画像５３も表示される。
【００４４】
図１１（ｂ）は、ノイズゲート画面５０における特定パラメータ操作オブジェクトの一例を示す。図１１（ｂ）に示す通り、ノイズゲート画面５０には、特定パラメータ操作オブジェクトとして、レンジを調整するためのレンジ操作オブジェクト５４と、スレッショルドを調整するためのスレッショルド操作オブジェクト５５が、操作点５２に対応する位置に表示される。レンジ操作オブジェクト５４は、操作点５２から左方向に延び、縦軸に直交する直線画像（図において点線）と該直線画像上の矢印画像とからなり、上下方向に移動可能である。スレッショルド操作オブジェクト５５は、操作点５２から上方向に延び、横軸に直交する直線画像（図において点線）と該直線画像上の矢印画像とからなり、左右方向に移動可能である。図１１のノイズゲート画面５０の例では、特性カーブ５１の垂直部分に重ならないように、スレッショルド操作オブジェクト５５が操作点５２から上方に延びている。
【００４５】
レンジ操作オブジェクト５４の移動操作に応じて、ＣＰＵ１１は、レンジを変更し（前記ステップＳ３）、且つ、レンジの変更に応じてレンジ操作オブジェクト５４と操作点５２の表示位置を上又は下に移動するとともに、特性カーブ５１の垂直部分の長さを変更する（前記ステップＳ４）。また、スレッショルド操作オブジェクト５５の移動操作に応じて、ＣＰＵ１１は、スレッショルドを変更し（前記ステップＳ３）、且つ、スレッショルドの変更に応じてスレッショルド操作オブジェクト５５の表示位置を右又は左に移動するとともに、操作点５２及び特性カーブ５１の垂直部分を特性カーブ５１に沿って右又は左に移動する。
【００４６】
別の実施形態において、前記ステップＳ１で表示されるパラメータ設定画面は、５．１チャンネルサラウンドの定位を設定するサラウンドパン画面である。図１２（ａ）は、サラウンドパン画面６０の一例を示す。サラウンドパンは、フロント左チャンネル（Ｌ）、フロント右チャンネル（Ｒ）、フロント中央チャンネル（Ｃ）、サラウンド左チャンネル（Ｌｓ）、サラウンド右チャンネル（Ｒｓ）の各チャンネルのレベルに応じて、サラウンド環境の音像定位を設定する。サラウンドパン画面６０には、サラウンド環境を示す円が描かれており、円の周囲には、Ｌ、Ｒ、Ｃ、Ｌｓ及びＲｓの各チャンネルのスピーカを示す画像が配置されており、円の中心がリスニングポイント６１を示し、定位点６２がリスニングポイント６１に対する定位を示す。定位点６２の位置は、リスニングポイント６１を中心とする円座標上の角度θ及び半径ｒにより表される。定位点６２は上下方向及び左右方向に自由に移動可能であり、定位点６２の位置（角度θ及び半径ｒ）によりサラウンドパンの定位を調整できる。サラウンドパン画面６０には、また、Ｌ、Ｒ、Ｃ、Ｌｓ及びＲｓの各チャンネルのレベル、角度θ及び半径ｒを個別に調整する複数のスライダー型操作子画像６３も設けられている。角度θ及び半径ｒと、Ｌ、Ｒ、Ｃ、Ｌｓ及びＲｓの各チャンネルのレベルはリンクしており、角度θ又は半径ｒが変更されるとＬ、Ｒ、Ｃ、Ｌｓ及びＲｓの各チャンネルのレベルが変更され、また、Ｌ、Ｒ、Ｃ、Ｌｓ又はＲｓのレベルが変更されると、角度θ及び半径ｒが変更される。
【００４７】
図１２（ｂ）は、サラウンドパン画面６０における特定パラメータ操作オブジェクトの一例を示す。図１２（ｂ）に示す通り、サラウンドパン画面６０には、特定パラメータ操作オブジェクト６４、６５として、角度θを調整するための角度操作オブジェクト６４と、半径ｒを調整するための半径操作オブジェクト６５が、定位点６２に対応する位置に表示される。角度操作オブジェクト６４は、リスニングポイント６１から延び定位点６２を通る直線画像と該直線画像上の矢印画像とからなり、リスニングポイント６１を中心にする回転移動が可能である。角度操作オブジェクト６４の矢印画像は回転方向を示す。また、半径操作オブジェクト６５は、リスニングポイント６１を中心として定位点８２を通る円周上の該定位点８２を通る接線方向に延びる直線画像と該直線画像上の矢印画像とからなり、該半径の方向に移動可能である。半径操作オブジェクト６５の矢印画像は該半径の方向を示す。
【００４８】
角度操作オブジェクト６４の移動操作に応じて、ＣＰＵ１１は角度θを変更し（前記ステップＳ３）、角度操作オブジェクト６４の表示位置を更新する（前記ステップＳ４）。これに伴い、定位点６２が円周方向に移動するので、該定位点の移動に伴い、半径操作オブジェクト６５の表示位置も更新される。また、半径操作オブジェクト６５の移動操作に応じて、ＣＰＵ１１は半径ｒを変更し（前記ステップＳ３）、半径操作オブジェクト６５の表示位置を更新する（前記ステップＳ４）。これに伴い、定位点６２が半径方向に移動する。前記ステップＳ３の角度θ又は半径ｒの変更に応じて、ＣＰＵ１１は、Ｌ、Ｒ、Ｃ、ＳＬ及びＳＲの各チャンネルのレベルを変更する。
【００４９】
以上、この発明の一実施形態を説明したが、この発明は上記実施形態に限定されるものではなく、特許請求の範囲、及び明細書と図面に記載された技術的思想の範囲内において種々の変形が可能である。
【００５０】
なお、前記の各実施形態においては、例えば上下方向にゲイン、左右方向に周波数、という具合に、１つの方向に１つのパラメータが対応付けられており、１つの特定パラメータ操作オブジェクトの操作に応じて１つのパラメータを設定する例を説明したが、これに限らず、例えば上下方向にゲインと帯域幅（Ｑ）を対応付けるという具合に、１つの方向に複数のパラメータが対応付けられていてもよい。その場合、１つの特定パラメータ操作オブジェクトの移動操作に応じて、ＣＰＵ１１は、その特定パラメータ操作オブジェクトに対応付けられた複数のパラメータを変更する（前記ステップＳ３）。
【００５１】
別の実施形態において、特定パラメータ操作オブジェクトは、例えば対応付けられたパラメータの種類や、対応する操作オブジェクトの種類に応じて異なる表示形態（異なる色、形など）であってもよい。
【００５２】
また、別の実施形態において、表示部２は操作入力機能を持たないディスプレイで構成され、また、操作部３は、例えばタッチパッドなど、指の接触により複数方向への移動操作を入力可能な入力装置で構成されてもよい。また、操作部３は、複数方向への移動操作を入力可能な入力装置であれば、指の接触により入力する形態の装置に限らず、マウス、トラックボールなどの適宜のポインティングデバイスであってもよい。更に、操作部３は、ユーザの手の動きを検出するように構成されたモーションキャプチャ装置のような、非接触式で移動操作を検出する装置であってもよい。手の動きを検出する具体的な方法としては、赤外線等を手に照射することにより動きを検出することや、手を初めとする身体に加速度を検出できる装置を取り付けることにより動きを検出することが考えられる。また、表示部２は、例えばヘッドマウントディスプレイで構成されてもよい。
【００５３】
また、設定装置１は、ミキサ１０に限らず、レコーダ、アンプ、プロセッサ等の音処理装置に適用できる。また、設定装置１は、ミキサ１０等の音処理装置のパラメータを設定するものに限らず、例えば照明の明るさや色合いを設定する装置など、複数の方向へ移動可能な操作オブジェクトを用いて、それぞれ異なる方向に対応付けられたパラメータを設定する設定装置であれば、どのような種類のパラメータを設定する装置であってもよい。
【００５４】
また、本発明の設定装置１は、パーソナルコンピュータ上で実行される、Ｃｕｂａｓｅ（登録商標）、ＰｒｏＴｏｏｌｓ（登録商標）等のＤＡＷ（デジタル・オーディオ・ワークステーション）ソフトウェアアプリケーションや、或いは、ビデオ編集ソフトウェアアプリケーションに適用され得る。
【００５５】
また、この発明の設定装置１は、図１に示す各部２〜６（特に符号５と符号６）の動作を実行するように構成された専用ハードウェア装置（集積回路等）からなっていてもよい。
【００５６】
また、この発明は、上記の設定装置１の発明として構成及び実施しうるのみならず、図１に示す各部２〜６（特に符号５と符号６）の動作を行う各ステップをコンピュータに実行させるプログラムを記憶した記憶媒体の発明、該プログラムの発明、及び、前記の各ステップを備える方法の発明として、構成及び実施されてもよい。その場合、ＣＰＵ１１がステップＳ１を実行することが第１表示ステップに相当し、また、ＣＰＵ１１がステップＳ２を実行することが第２表示ステップに相当し、ＣＰＵ１１がステップＳ３を実行することが変更ステップに相当する。
【符号の説明】
【００５７】
１  設定装置、２  表示部、３  操作部、４  処理部、５  表示処理、６  変更処理、１０  ミキサ、１１  ＣＰＵ、１２  メモリ、１３  タッチパネル、１４  操作子、１５  オーディオインタフェース、１６  ＤＳＰ、３０  ＥＱ画面、３１  特性カーブ、３２  操作点（操作オブジェクト）、３５  ゲイン操作オブジェクト（特定パラメータ操作オブジェクト）、３６  周波数操作オブジェクト（特定パラメータ操作オブジェクト）
【図１】
2018160187.tif 000003
【図２】
2018160187.tif 000004
【図３】
2018160187.tif 000005
【図４】
2018160187.tif 000006
【図５】
2018160187.tif 000007
【図６】
2018160187.tif 000008
【図７】
2018160187.tif 000009
【図８】
2018160187.tif 000010
【図９】
2018160187.tif 000011
【図１０】
2018160187.tif 000012
【図１１】
2018160187.tif 000013
【図１２】
2018160187.tif 000014